(57)【特許請求の範囲】
【請求項１】
最下部を構成する上部開口の箱形の生け簀部と、該生け簀部の上部開口の縁から上方に延びる筒状の導入網部と、該導入網部の上端開口に縁取り状態に配した導入環と、該導入環に取り付けた掛け紐とで構成したズックビクにおいて、
前記生け簀部の側面に、該生け簀部を釣り人の脚又は水中に立ち上がる棒状部材に固定するためのベルト部材を取り付けたズックビク。
【請求項２】
前記ベルト部材を、その長さ方向の途中を前記生け簀部の側面に固定し、かつその一端側の一面に雄の面ファスナーを、他端側の他面に該一端側の雄の面ファスナーと連結するための雌の面ファスナーを、それぞれ構成した請求項１のズックビク。
【発明の詳細な説明】
【技術分野】
【０００１】
本発明は、釣った魚を生かした状態で保管しておく、生け簀部に繋がる導入網を備えたズックビクに関する。
【背景技術】
【０００２】
特許文献１は、閉塞紐付ビクに関し、これは、生け簀部と、導入網と、掛け紐を備えた導入リングとを有するビクであって、前記導入網の縦長筒状部の上部の一部に抱持状態に配置し、該導入網の該部位を締め付けて閉塞しうるように構成した閉塞紐と、該閉塞紐に設けた閉塞状態を保持するための緩み防止具とを更に備えたビクである。
【０００３】
従ってこの特許文献１の閉塞紐付ビクによれば、釣りをしている間は、その生け簀部を水中に入れ、導入リングに設けた掛け紐を利用して杭や釣り人の腰付近に掛けてこれを保持することができる。釣った魚は、閉塞紐を緩め、最上部の導入リングの内側に投入すれば、安全にその生け簀部に導くことができる。その後に、閉塞紐を締め付け、導入網の上部の開口部を閉塞すれば、魚を逃がすことなく保管できる。
【０００４】
この特許文献１の閉塞紐付ビクは、以上のように、優れた面を有するが、川のような流れを有するところで使用した場合には、下部の生け簀部がその流れによって無用に動き、該ビクの下部が釣り釣り人の脚に絡んでしまい、その自由な動きを妨げるおそれがある。それ故、釣り人を転倒させる等の安全性に関する重大な問題がある。
【０００５】
特許文献２は、ビクの構造に関し、縄索、袋体及び袋状の網体で構成され、該袋状の網体が該袋体の下方に該袋体の中空部に連通する状態で吊り下げ状態に結合され、該縄索の両端が中空状の袋体の両側部に固定され、更に袋体にこれを水面への浮上状態を維持させる浮力装置及び袋体の上部開口を閉じる状態に付勢する弾性体を付設したものである。
【０００６】
従ってこの特許文献２のビクの構造を適用したビクによれば、その縄索を利用して釣り人の腰等に結合した上で、これを水中に入れた場合に、前記浮力装置の作用で前記袋体が水面への浮上状態を維持し、かつ該袋体の上部開口が前記弾性体の作用で常時閉じた状態を維持する。それ故、釣った魚をビクに入れようとした場合には、該ビクの上部開口は、浮上状態にあるため、これを見つけるのが容易であり、かつこれは弾性材によって閉じているだけなので、その魚を、該上部開口を片手で開けて簡単にそこからビク内に入れることができる。また入れた後は、該上部開口は該弾性体の作用ですぐに閉じるので、一旦該ビク内に入った魚が逃げ出すようなおそれはない。
【０００７】
この特許文献２のビクの構造を適用したビクは、以上のように優れた機能を有するものであるが、以上のように、釣り人の腰等に縄索で結合して使用した場合に、その下部を構成する網体が、特に一定程度以上の長さを有する場合には、水の流れ等の動きによって種々に揺れ動き釣り人の脚に絡みつき、該釣り人の動作の自由を奪うことになるおそれがある。これを使用する釣り人に転倒等を惹起させるおそれがあり、安全性に問題があるといわざるを得ない。
【０００８】
特許文献３は、魚釣り用ビクに関し、これは、上端に出入口を設けた網籠に、屈曲自在な合成樹脂によって形成した円環状の保形枠を上下方向に所定の間隔をあけて複数本取り付けた魚釣り用びくにおいて、該網籠の上部の出入口に、該出入口を引き締めて閉じる止め輪付きの紐を配し、かつ前記各保形枠の外側周面に沿ってロープを取り付け、そのうちの最上段の保形枠及びロープに対向状態にフロートを取り付け、更に最下段のロープに重りを取り付けたものである。
【０００９】
従ってこの特許文献３の魚釣り用ビクによれば、水中に入れた場合に、前記フロートの作用でその最上部が水面に浮き、最下段のロープに重りが取り付けてあるので、その網籠は上下方向に延びてその内部を広く保持することができる。従って、水中に入れた際に、短く畳んだ状態になって、内部に入れた魚が泳げなくなり、すぐに死んでしまうような問題を解決できる。また最上部の出入口を前記引き締め用の紐で引き締めて閉じ、その状態を止め輪で保持することができる利点もある。
【００１０】
しかしこの特許文献３の魚釣り用ビクでは、掛け紐がないので、水中に入れた場合に、釣り人の腰や杭等に固定しておくことができない。それ故、水に流れがあれば、流れて行ってしまう問題がある。紐等を別に用意して釣り人の腰等に結合したとしても、今度は、その下部に該下部を固定するための手段がないので、水の動きに従って様々に動き、釣り人の脚に絡みつき、その自由な動きを阻害するおそれもある。前記特許文献１、２のビク類と同様の使用上の危険がある。
【００１１】
なお、いずれの特許文献においても、このような、水中に沈めたズックビクの下部側が水の流れ等の動きによって妄りに動き、これが釣り人の脚に絡み付く等により、その動作の自由を奪い、転倒させてしまうことがあるという問題に対する認識がない。また、これに関して、釣り人の間でさえもはっきりとした認識は未だにないようである。
【先行技術文献】
【特許文献】
【００１２】
【特許文献１】実開平０４−３８２７４号公報
【特許文献２】実用新案登録第３０７７２４３号公報
【特許文献３】実開平０５−５３４７６号公報
【発明の概要】
【発明が解決しようとする課題】
【００１３】
本発明は、掛け紐で釣り人の腰、竿立て又は杭等にその最上部を固定し、それより下方を水中に入れて使用した場合に、その下部が、水の流れその他で妄りに動いて釣り人の脚に絡みつき、その転倒を生じさせるような問題のない、導入網を備えたズックビクを提供することを解決の課題とする。
【課題を解決するための手段】
【００１４】
本発明の１は、最下部を構成する上部開口の箱形の生け簀部と、該生け簀部の上部開口の縁から上方に延びる筒状の導入網部と、該導入網部の上端開口に縁取り状態に配した導入環と、該導入環に取り付けた掛け紐とで構成したズックビクにおいて、
前記生け簀部の側面に、該生け簀部を釣り人の脚又は水中に立ち上がる棒状部材に固定するためのベルト部材を取り付けたズックビクである。
【００１５】
本発明の２は、本発明の１のズックビクにおいて、
前記ベルト部材を、その長さ方向の途中を前記生け簀部の側面に固定し、かつその一端側の一面に雄の面ファスナーを、他端側の他面に該一端側の雄の面ファスナーと連結するための雌の面ファスナーを、それぞれ構成したものである。
【発明の効果】
【００１６】
本発明の１のズックビクによれば、魚釣りの際に、例えば、該ズックビクの上部を、その上端の導入環に取り付けた掛け紐を釣り人の腰又は竿立て等に結合し、最下部の生け簀部を、該生け簀部の側面に取り付けたベルト部材を利用して該釣り人の脚又は竿立てに取り付けて使用することができる。
【００１７】
このようにすると、本発明の１のズックビクの生け簀部は、常時、脚又は竿立ての取り付けた部位付近に位置し、水の流れ等によって妄りに動いてしまうようなことがない。それ故、釣り人の脚に無用に絡みつき、その不安定な動きによって釣り人の自由な動作を奪って転倒させてしまう等の問題を生じさせない。従って安全に使用することができるものとなる。
【００１８】
一方で、本発明の１のズックビクは、ズックビクとしての本来の機能には何らの制限を加えることもない。それ故、本発明の１のズックビクは、従来のそれと同様に、釣った魚をこれに入れて生かしておくことができる。
【００１９】
本発明の２のズックビクによれば、前記ベルト部材は、前記のように、その長さ方向の途中を前記生け簀部の側面に固定し、かつその一端側には雄の面ファスナーを、他端側には雌の面ファスナーを、それぞれ構成したものであり、該ベルト部材は、それ自体の該生け簀部への取り付けも容易であるが、使用の際に、釣り人の脚や竿立てに、これを巻き付け、その両端を雄雌の面ファスナーで連結するだけで、簡単かつスピーディに取り付けることができる。しかもその取り付けは確実であり、取り外しも雄雌の面ファスナーを外すだけでできるので簡単である。いずれも水中で簡単にできる操作である。
【図面の簡単な説明】
【００２０】
【図１】実施例のズックビクの概略斜視図。
【図２】図１のベルト部材を取り付けた部位付近の拡大図。
【発明を実施するための形態】
【００２１】
発明を実施するための形態を実施例に基づき図面を参照しながら詳細に説明する。
【００２２】
この実施例のズックビクは、図１に示すように、基本的に、最下部の箱形の生け簀部１と、該生け簀部１から上方に延びる筒状の導入網部２と、該導入網部２の長さ方向途中の３箇所に配した環状の保形枠３ａ、３ｂ、３ｃと、該導入網部２の上端開口部に配した導入環４と、該導入環４に取り付けた掛け紐５と、該生け簀部１の側面に取り付けたベルト部材６とで構成したものである。
【００２３】
前記生け簀部１は、図１及び図２に示すように、文字どおりの箱形で、厚手の帆布で上部開口に作成した容器状部材であり、その上端の開口部縁及び底部周囲には、針金状金属部材で作成したほぼ四辺形の保形枠が埋め込み状態に配してあり、平面視で四辺形の開口部形状及び底部形状を保持できるようになっている。また側部には高さ方向のほぼ中間部に、内側に折れるおり癖が付けてあり、不使用時には、薄い折り畳み状態にすることができるようになっている。
【００２４】
前記導入網２は、図１に示すように、筒状の網体であり、上方に向かって徐々に細くなる伸縮性に構成したナイロン製の網体である。その最下端は、前記生け簀部１の上部開口の縁部に固設してあり、前記のように、その長さ方向の途中には、三個の四辺形環状の保形枠３ａ、３ｂ、３ｃが配してある。下部の保形枠３ａが最も大サイズであり、中間の保形枠３ｂが中間のサイズであり、上部の３ｃが最小のサイズに構成してある。また該導入網２の上端の開口部の縁には円環状の導入環４が配してある。該導入網２は、前記保形枠３ａ、３ｂ、３ｃによって、これを吊り下げた状態で筒状が保持できるようになっており、前記導入環４によって、その上端の開口部が常時開口状態に保持できるようになっている。
【００２５】
前記保形枠３ａ、３ｂ、３ｃは、以上のように、それぞれ導入網２の途中に配して、それを筒状の状態に保持するものであり、図１に示すように、針金状金属部材を四辺形枠状に構成したものである。該導入網２には、その網の目を通して配することによりそれぞれ所定の位置に配置したものである。なお、該導入網２が短い場合は必ずしも保形枠を必要としない。
【００２６】
前記導入環４は、プラスチック材を円環状に丸めて構成したものであり、前記し、図１に示すように、該導入網２の上端の開口部の縁に取り付けたものである。
【００２７】
前記掛け紐５は、図１に示すように、その両端を、前記導入環４の周方向１８０度の角度間隔の位置に結合したものであり、素材としては、ナイロン紐等の水に強いそれを採用したものである。
【００２８】
前記ベルト部材６は、図１及び図２に示すように、前記生け簀部１の側面、この実施例では、該側面の高さ方向中央より若干下方に、その中央部付近を縫合固定し、その一端側の一面には雄の面ファスナー６ａを、他端側の他面には雌の面ファスナー６ｂを、それぞれ構成したものである。素材としては、水に強いものであることが必要である。この実施例では、綿とナイロンの混紡の生地を用いた布製のそれを採用した。
【００２９】
前記ベルト部材６の長さは、釣り人の脚に巻き付けて固定するように用いるので、それが十分可能なそれとする。また前記雄の面ファスナー６ａと前記雌の面ファスナー６ｂとは、図１及び図２に示すように、ベルト部材６本体の相互に反対側の面に構成する。更にそれぞれは、同図に示すように、該ベルト部材６の長さ方向に沿って長めに配することとし、細い杭や竿立てへの取り付けにも不都合がないようにする。
【００３０】
この実施例のズックビクによれば、魚釣りの際に、例えば、その上部を、前記導入環４に取り付けた掛け紐５を釣り人の腰又は竿立て等に結び付け、下部の生け簀部１を、その側面に固設したベルト部材６を該釣り人の脚に巻き付け、又は竿立てに巻き付け、かつその両端側の雄の面ファスナー６ａ及び雌の面ファスナー６ｂで連結し、上記巻き付け状態を固定して使用することができる。
【００３１】
このようにすることにより、この実施例のズックビクの生け簀部１は、釣り人の脚又は竿立ての取り付けた付近に安定して位置することとなり、水の流れ等よって妄りに動かされることがないので、釣り人の脚に無用に絡みつき、その自由な動作を奪って転倒させる等の問題を生じさせない。不安なく使用することができる。
生け簀部１は、前記ベルト部材６で脚に取り付けた場合は、脚に固定されるものではあるが、水の流れで脚に絡みついた場合とは異なり、脚に安定して取り付けられた状態になる。それ故、絡みついた場合のように、不安定に水の流れ等によって動くものと異なり、転倒等を引き起こすおそれがない。
【００３２】
一方で、この実施例のズックビクは、本来のズックビクとしての機能には何らの制限を加えることもない。従って、従来のそれのとおりに、釣った魚をこれに入れて生かしておくことができる。
【００３３】
またこの実施例のズックビクによれば、前記ベルト部材６は、前記のように、使用の際に、釣り人の脚や竿立てに、これを巻き付け、その両端を雄の面ファスナー６ａ及び雌の面ファスナー６ｂを接続するだけで取り付けることができるので、操作が簡単かつスピーディにできる。しかも取り付けが確実であり、取り外しも両面ファスナー６ａ、６ｂを外すだけでできるので簡単である。
【産業上の利用可能性】
【００３４】
本発明のズックビクは、釣り具の製造業の分野で利用することができる。
【符号の説明】
【００３５】
１    生け簀部
２    導入網部
３ａ、３ｂ、３ｃ  保形枠
４    導入環
５    掛け紐
６    ベルト部材
６ａ  雄の面ファスナー
６ｂ  雌の面ファスナー
【要約】
【課題】掛け紐で釣り人の腰、竿立て又は杭等にその最上部を固定し、それより下方を水中に入れて使用した場合に、その下部が、水の流れその他で妄りに動いて釣り人の脚に絡みつき、その転倒を生じさせるような問題のないズックビクの提供。
【解決手段】最下部の上部開口の箱形の生け簀部１と、生け簀部１の開口部縁から上方に延びる筒状の導入網部２と、その導入網部２の長さ方向途中の３箇所に配した環状の保形枠３ａ、３ｂ、３ｃと、導入網部２の上端開口部に配した導入環４と、導入環４に取り付けた掛け紐５と、生け簀部１の側面に取り付けたベルト部材６とで構成し、該ベルト部材６は、その中央部付近を生け簀部１の側面に縫合固定し、その一端側一面には雄の面ファスナー６ａを、他端側の他面には雌の面ファスナー６ｂを、各々構成したものである。
【選択図】  図１【図１】
0005401625.tif 000002
【図２】
0005401625.tif 000003